(57)【要約】【課題】  周壁を有する容器内に、ケーキ類の水平方向の移動を規制する規制部を簡単に起立形成することができるケーキ類用トレーを提供する。【解決手段】  平面視多角形状の底板４から周壁７を起立させた容器２内に収納され、略同形の多角形状に形成された中央部の載置スペース１ａにケーキ類Ｋを載置するトレー１において、該トレー１の多角形のコーナー部の相隣る辺８，８から外側に張り出した支持辺１２を設け、トレー収納状態において該支持辺１２をコーナー部周壁７の内周面に接当させて内向きに下降傾斜させて支持することにより、ケーキ類Ｋの水平方向の移動を規制する規制部５を形成した。【選択図】        図１
2005212845.tif 000002
【特許請求の範囲】
【請求項１】
平面視多角形状の底板（４）から周壁（７）を起立させた容器（２）内に収納され、略同形の多角形状に形成された中央部の載置スペース（１ａ）にケーキ類（Ｋ）を載置するトレー（１）において、該トレー（１）の多角形のコーナー部の相隣る辺（８），（８）から外側に張り出した支持辺（１２）を設け、トレー収納状態において該支持辺（１２）をコーナー部周壁（７）の内周面に接当させて内向きに下降傾斜させて支持することにより、ケーキ類（Ｋ）の水平方向の移動を規制する規制部（５）を形成するケーキ類用トレー。
【請求項２】
規制部（５）の支持辺（１２）を辺（８）から外側に向け拡開角（θ）を有した直線で形成した請求項１のケーキ類用トレー。
【請求項３】
規制部（５）の基部に隅切り方向の谷線の折り目からなる屈曲部（１０）を設けた請求項１又は２のケーキ類用トレー。
【請求項４】
規制部（５）の外周側位置に山線の折り目からなる第２屈曲部（１５）を上記屈曲部（１０）と略平行に設け、三角形又は山形状のコーナー片（１７）を形成した請求項１又は２又は３のケーキ類用トレー。
【請求項５】
規制部（５）のコーナー片（１７）に凹凸形状からなる模様部（２０）を形成した請求項１又は２又は３又は４のケーキ類用トレー。
【発明の詳細な説明】
【技術分野】
【０００１】
本発明は、デコレーションケーキや和菓子を含むケーキ類を水平方向の移動を規制した状態で、展示したり包装箱やラック等に収容するケーキ類用トレーに関する。
【背景技術】
【０００２】
従来、デコレーションケーキを載置するケーキ類用トレーは、特許文献１で示されるように、ケーキの水平方向の移動をロック爪によって固定した状態で、包装箱の開口部から挿脱可能に収容するものが既に公知である。
また厚紙からなる台板上に皿部材を貼着し、その中央部の載置スペースに載置したケーキを、皿部材のコーナー部を起立させて形成した規制部によって、ケーキロックを用いないで水平方向の移動を規制するように構成したケーキ類用トレーが特許文献２で示されるように既に公知である。
【特許文献１】特開平８−１７５５８３号公報（第３ページ，図１）
【特許文献２】特許第３１６８４２０号公報（第２ページ，図２）
【発明の開示】
【発明が解決しようとする課題】
【０００３】
上記特許文献１で示されるケーキ類用トレーは、プラスチック製のトレーに載置したケーキの固定を下方から差し込むロック爪で行うので、複数の部品を要して製造コストが高くなると共に、ケーキの水平方向の移動を規制するロック爪の固定作業も煩雑になる。また紙製の包装箱に対し、プラスチック製のトレーやロック爪等異なる素材を併用するので、分別ゴミの対象になる等の欠点がある。またロック爪に打抜形成された金属板を用いるものはさらに取り扱い中に指を傷つけたり、錆が発生して汚れやケーキへの悪影響が発生する等の問題がある。
【０００４】
特許文献２で示されるケーキ類用トレーは、台板及び規制部を形成する皿部材の何れも紙製としているので、分別ゴミの対象から外れる利点はあるが、台板に対し皿部材の規制部を起立させて固定する、２部品の煩雑な組立作業や複雑な固定構造を必要とする。また皿部材から起立される規制部はその外側壁を下方に折り曲げて台板に固定するので、ケーキ類用トレーを包装箱内に収容した状態において、各コーナー部に形成される規制部の外側と包装箱のコーナー部に隙間を大きく生ずる等の問題がある。
【課題を解決するための手段】
【０００５】
上記課題を解決するためにこのケーキ類用トレーは、第１に、平面視多角形状の底板４から周壁７を起立させた容器２内に収納され、略同形の多角形状に形成された中央部の載置スペース１ａにケーキ類Ｋを載置するトレー１において、該トレー１の多角形のコーナー部の相隣る辺８，８から外側に張り出した支持辺１２を設け、トレー収納状態において該支持辺１２をコーナー部周壁７の内周面に接当させて内向きに下降傾斜させて支持することにより、ケーキ類Ｋの水平方向の移動を規制する規制部５を形成することを特徴としている。
【０００６】
第２に、規制部５の支持辺１２を辺８から外側に向け拡開角θを有した直線で形成したことを特徴としている。
【０００７】
第３に、規制部５の基部に隅切り方向の谷線の折り目からなる屈曲部１０を設けたことを特徴としている。
【０００８】
第４に、規制部５の外周側位置に山線の折り目からなる第２屈曲部１５を上記屈曲部１０と略平行に設け、三角形又は山形状のコーナー片１７を形成したことを特徴としている。
【０００９】
第５に、規制部５のコーナー片１７に凹凸形状からなる模様部２０を形成したことを特徴としている。
【発明の効果】
【００１０】
以上のように構成される本発明によれば、ケーキ類用トレーの載置スペースの裏側を容器の底板に設置したとき、コーナー部に相隣る辺から外側に張り出した支持辺が容器の各対応する周壁の内周面に押接状態で接当するので、ケーキ類の水平方向の移動を規制する規制部を簡単に起立形成することができる。また容器に対するケーキ類用トレーの設置を、特別な固定具等を要しないで廉価な構成によって行うことができる。
【００１１】
また上記辺から外側に向け拡開角を有した直線状の支持辺を形成すると、規制部は屈曲部から上方に向け緩やかに起立して容器の隅底部を覆い隠すことができる。
さらに、規制部を形成するコーナー部に折り目を設けたり、その側辺に凹凸形状からなる模様部を形成することにより、ケーキ類用トレーのデザインやディスプレイ効果等を高めることができる。
【発明を実施するための最良の形態】
【００１２】
以下図示する本発明の実施形態について説明する。図１〜図３は本発明の第１の実施形態に係わるケーキ類用トレー（皿部材）１の構成及び使用態様を示す。図４〜図６は本発明の第２の実施形態を示す。図７，図８は本発明の第３の実施形態を示す。図９，図１０は本発明の第４の実施形態を示す。
【００１３】
このケーキ類用トレー１（以下単にトレーと言う）は、平面視多角形の浅い深さの皿箱（容器）２又は図１の仮想線で示す包装箱３に形成される、それぞれの底板４に敷設して用いることができる。
【００１４】
そしてトレー１は多角形のコーナー部を上方に向けて起立させることにより、中央部に形成される載置スペース１ａに載置したケーキ類Ｋの水平方向の移動を規制する規制部５を形成可能としている。
尚、図示例の上記各部材は何れも紙で製作するが、プラスチック製の板材によっても製作することができる。
【００１５】
上記トレー１の第１実施形態を図１〜図３を参照し説明する。先ず、トレー１が設置される皿箱２は、厚紙からなる台板６の外周に従来のものと同様に所定高さの周壁７を立設し内部に底板４が形成される。
尚、この皿箱２は特許文献１で示されるものと同様に、蓋部を有する包装箱（以下単に容器と言う）３と平面視相似形の皿状容器として形成され、容器３の蓋部を開いた開口部から挿脱可能とされる。
【００１６】
この実施形態においてトレー１及び該トレー１を収容する皿箱２及び容器３は、図２で示すように略正方形状で形成したもの示す。従って、多角形を形成するトレー１の相対向する各辺８，８は互いに平行状し、上記各辺８，８で形成される距離は皿箱２及び容器３の内幅と略等しくしている。
またトレー１のケーキ類Ｋを載置する載置スペース１ａには、その輪郭を示す位置決め用のマーク９を付与している。
【００１７】
前記規制部５は、マーク９で示される輪郭に近接した位置（コーナー部の基部側）に谷線の折り目からなる屈曲部１０を設け、該屈曲部１０と交差する辺８，８の交点Ｐからコーナー頂部１１に至る全長を辺８から外側に張り出した支持辺１２としている。
これによりトレー１のコーナー部に形成される規制部５は、支持辺１２が皿箱２又は容器３のコーナー部において周壁７の内周面と接当し支持されるので、底板４から浮き上がった状態で起立することができる。
【００１８】
この規制部５の両側に形成される図示例の支持辺１２，１２は、該支持辺１２，１２が交差し形成されるコーナー頂部１１を、各辺８，８から外側に向け所定の張出距離Ｈを有して定め、且つ前記交点Ｐからコーナー頂部１１に至る拡開角θの直線で形成される。またトレー１は辺８のコーナー部に張出距離Ｈを設けて規制部５を形成するので、トレー素材切断の部取り率を高め、無駄を抑制し低コストに製作することができる利点がある。
【００１９】
以上のように構成されるトレー１は図１で示すように皿箱２内にセットするとき、各辺８が周壁７内に嵌挿され且つ載置スペース１ａの裏側の全面が底板４に接触するように押圧すると、支持辺１２は張出距離Ｈと拡開角θよって定められた位置で周壁７と接当し、規制部５を屈曲部１０を起点としコーナー頂部１１を最上位として、図３で示す起立角αを有して起立させることができる。尚、トレー１は必要により載置スペース１ａの裏側を底板４に接着することができる。
【００２０】
このときコーナー頂部１１は相隣る周壁７，７が交差する容器コーナー頂部１３に接当し、また拡開角θの直線で形成される支持辺１２は周壁７の内周面に押接状態で線接触する。これにより規制部５の起立支持が安定し、また平面視において規制部５と周壁７との隙間を大きく生じない等の特徴がある。
【００２１】
このように皿箱２内にセットされるトレー１は、両側の支持辺１２が皿箱２の各対応する周壁７，７を押接し接当するので、この押接力及び各素材が有する弾力性によって、規制部５は所定の起立角αを有し皿箱２に固定支持される。
【００２２】
従って、皿箱２に対するトレー１の取付固定を、従来のもののように固定金具や接着剤等の特別な固定手段を要しないで廉価な構成によって行うことができる。さらにトレー１は皿箱２に辺８，８・・を嵌挿した状態で、上方から載置スペース１ａ部分を単に押圧する等簡単な作業によって容器内に設置することができる。
【００２３】
また同図で示すように、上方に向けて緩やかな起立角αを有して折り曲げられて起立する４隅の規制部５は、皿箱２の容器コーナー頂部１３の隅底部を立体的に覆い隠すのでデザイン性及びディスプレイ効果を高める。
さらに、載置スペース１ａに載置されたケーキ類Ｋを運ぶとき、規制部５はケーキ類Ｋの水平方向への移動を規制するから、ケーキ類Ｋの側面と周壁７との直接的な接当を防止しケーキ類Ｋを保護することができる。
【００２４】
次に図４〜図６を参照し本発明の第２実施形態について説明する。尚、前記第１実施形態のものと同様な構成については説明を省略する。このトレー１は略正方形をなし規制部５の屈曲部１０とコーナー頂部１１の間に山線の折り目からなる第２屈曲部１５を形成する。そして、屈曲部１０と第２屈曲部１５との間の側辺を前記のものと同様に辺８に対し拡開角θを有した支持辺１２として形成する。
【００２５】
またコーナー頂部１１の両側で第２屈曲部１５に至るコーナー辺１６，１６は、前記張出距離Ｈを有して辺８，８と略平行状に形成し、第２屈曲部１５とコーナー辺１６，１６によってコーナー片１７が形成される。
【００２６】
以上のように構成されるトレー１は皿箱２内に辺８，８・・を嵌挿し、上方から載置スペース１ａ部分をセットしたとき、前記支持辺１２，１２が皿箱２の各対応する周壁７，７に押接しながら接当し、この押接力によって規制部５は屈曲部１０から起立角αを有して立上がり皿箱２に固定支持される。
【００２７】
このとき両側のコーナー辺１６，１６は内側に引き寄せられた状態になって皿箱２内の容器コーナー部に位置する。次いで図５で示すようにコーナー片１７は、第２屈曲部１５から山折りし底板４に対し略平行状に浮き上げた状態にすることができる。
【００２８】
以上にように構成されるトレー１は、屈曲部１０から谷折りし起立させた規制部５によってケーキ類Ｋの水平方向の移動を規制し位置決めをすることができ、またコーナー片１７によって皿箱２のコーナー部を塞ぐことができる。
【００２９】
このとき規制部５の上方に形成されるコーナー片１７は、第２屈曲部１５から山折りし低くすることができるので、載置されるケーキ類Ｋのはみ出した部分とコーナー片１７との接触を防ぐことができる。
【００３０】
次に図７，図８を参照し本発明の第３実施形態について説明する。このトレー１は前記第２実施形態で示した規制部５或いはコーナー片１７に対し、折り目１９を適数設ける例を示す。さらに規制部５の両辺並びにコーナー片１７の両辺に凹凸形状からなる模様部２０を形成した例を示す。
【００３１】
このトレー１は屈曲部１０から規制部５を起立させた状態において、コーナー片１７側を第２屈曲部１５及び折り目１９を介し上下自在に折り曲げて所望のデザインにすることができる。従って、トレー１のコーナー部は複数の折り目を介し綺麗に屈曲され、コーナー部の側辺に形成される模様部２０によって、載置されるケーキ類Ｋに相応しいトレーデザインとディスプレイ効果等を高めることができる。
【００３２】
次に図９，図１０を参照し本発明の第４実施形態について説明する。この実施形態は前記第１実施形態で示したものと同様に規制部５を有するトレー１を、略正方形状の厚い平紙からなる皿状部材２１に同心的に重ねて組み付け、この状態で載置スペース１ａにケーキ類Ｋを載置する例を示す。
【００３３】
尚、トレー１は皿状部材２１に接着することができる。図示例の皿状部材２１は対辺の中央部に切り目を入れて、上方持ち上げ運搬用の持ち手２２と、側方から摘まみ水平方向移動させる取っ手２３が形成される。
【００３４】
以上のように皿状部材２１にセットされたトレー１は、図１０で示されるように容器３内に収容した状態で、各規制部５は各容器コーナー部に位置しその周壁７によって起立支持される。また容器３の蓋部を開放した状態で取っ手２３を摘まんで引き寄せると、ケーキ類Ｋを載置したままトレー１を引き出すことができ、且つ持ち手２２，２２を持って運搬移動を行い易くすることができる。
【図面の簡単な説明】
【００３５】
【図１】本発明の第１実施形態に係わるトレーを設置した皿箱を包装箱に収容した状態を示す全体斜視図である。
【図２】図１のトレーを示す平面図である。
【図３】図１のトレーと皿箱の分解斜視図である。
【図４】本発明の第２実施形態に係わるトレーの平面図である。
【図５】図４のトレーを折り曲げた状態を示す斜視図である。
【図６】図４のトレーを皿箱に設置した状態を示す全体斜視図である。
【図７】本発明の第３実施形態に係わるトレーの平面図である。
【図８】図７のトレーを皿箱に設置した状態を示すコーナー部の斜視図である。
【図９】本発明の第４実施形態に係わるトレーと皿状部材の分解斜視図である。
【図１０】図９のトレーを皿状部材に設置し容器に収容した状態を示す斜視図である。
【符号の説明】
【００３６】
１    ケーキ類用トレー（トレー）
１ａ  載置スペース
２    皿箱（容器）  
３    包装箱（容器）
４    底板
５    規制部
７    周壁
８    辺
１０  屈曲部
１１  コーナー頂部
１２  支持辺
１５  第２屈曲部
１７  コーナー片
１９  折り目
２０  模様部
Ｈ    張出距離
θ    拡開角
【図１】
2005212845.tif 000003
【図２】
2005212845.tif 000004
【図３】
2005212845.tif 000005
【図４】
2005212845.tif 000006
【図５】
2005212845.tif 000007
【図６】
2005212845.tif 000008
【図７】
2005212845.tif 000009
【図８】
2005212845.tif 000010
【図９】
2005212845.tif 000011
【図１０】
2005212845.tif 000012